(57)【特許請求の範囲】
【請求項１】
筆記体の内部に熱変色性インキを収容し、前記筆記体の前端に前記熱変色性インキが吐出可能なペン先を設け、前記筆記体を軸筒の内部に前後方向に移動可能に収容し、前記軸筒の前端部に、前記筆記体のペン先が出没可能な前端孔を形成し、前記軸筒の前端部外面に、前記熱変色性インキの筆跡を摩擦しその際に生じる摩擦熱で前記熱変色性インキの筆跡を熱変色可能な摩擦部を設けた熱変色性筆記具であって、前記軸筒の前端部を硬質材料から形成し、前記軸筒の前端部外面に軟質材料からなる摩擦部を設け、前記摩擦部の前端を前記軸筒の前端よりも前方に位置させるとともに、前記摩擦部の前端開口部の内径を、前記軸筒の前端孔の内径よりも大きく、且つ前記軸筒の前端の外径より小さく形成したことを特徴とする熱変色性筆記具。
【請求項２】
前記軸筒の前端から前記摩擦部の前端までの摩擦部の軸方向の長さをＡとし、突出状態の前記ペン先の外面と前記摩擦部の内面との径方向の隙間をＢとするとき、Ａ／Ｂ≦６００の関係を満足する請求項１記載の熱変色性筆記具。
【発明の詳細な説明】
【技術分野】
【０００１】本発明は、熱変色性筆記具に関する。詳細には、ペン先が軸筒の前端より出没する出没式の熱変色性筆記具に関する。
【背景技術】
【０００２】特許文献１には、軸筒内に筆記体を前後方向に移動可能に収容し、軸筒の外面に操作部を設け、前記操作部を操作することにより前記筆記体のペン先を軸筒の前端孔から出没可能に構成し、前記筆記体の内部に熱変色性インキを収容し、前記筆記体の前端に前記熱変色性インキが吐出可能なペン先を設け、前記軸筒の前端部外面に、前記熱変色性インキの筆跡を摩擦しその際に生じる摩擦熱で該筆跡を熱変色可能な軟質材料よりなる摩擦部を設けた熱変色性筆記具が開示されている。
【先行技術文献】
【特許文献】
【０００３】
【特許文献１】国際公開第２００８／１０５２２７号パンフレット
【発明の概要】
【発明が解決しようとする課題】
【０００４】前記従来の熱変色性筆記具は、摩擦部が使用によって摩耗すると、摩擦操作時に軸筒の前端が被筆記面（例えば紙面）に接触し、摩擦部による適正な摩擦操作が阻害され、熱変色性筆跡を確実に熱変色性させることができないおそれがある。また、前記従来の熱変色性筆記具は、摩擦操作時、被筆記面に対して軸筒を略垂直にして使用すると、硬質材料からなる軸筒の前端が被筆記面に接触し、前記同様、熱変色性の筆跡を確実に熱変色させることができないおそれがある。【０００５】本発明は、前記従来の不具合を解決するものであって、摩擦部が摩耗したり、被筆記面に対して軸筒を略垂直にしたりしても、摩擦部による適正な摩擦操作が可能となり、熱変色性の筆跡を確実に熱変色させることができる熱変色性筆記具を提供しようとするものである。尚、本発明で、「前」とは、ペン先側を指し、「後」とは、その反対側を指す。尚、本発明で、「ペン先没入状態」とは、ペン先が軸筒内に没入した状態をいい、「ペン先突出状態」とは、ペン先が軸筒の前端より外部に突出した状態をいう。
【課題を解決するための手段】
【０００６】［１］本願の第１の発明は、筆記体５の内部に熱変色性インキを収容し、前記筆記体５の前端に前記熱変色性インキが吐出可能なペン先５１を設け、前記筆記体５を軸筒２の内部に前後方向に移動可能に収容し、前記軸筒２の前端部に、前記筆記体５のペン先５１が出没可能な前端孔３を形成し、前記軸筒２の前端部外面に、前記熱変色性インキの筆跡を摩擦しその際に生じる摩擦熱で前記熱変色性インキの筆跡を熱変色可能な摩擦部４を設けた熱変色性筆記具であって、前記軸筒２の前端部を硬質材料から形成し、前記軸筒２の前端部外面に軟質材料からなる摩擦部４を設け、前記摩擦部４の前端を前記軸筒２の前端よりも前方に位置させるとともに、前記摩擦部４の前端開口部の内径を、前記軸筒２の前端孔３の内径よりも大きく、且つ前記軸筒２の前端の外径より小さく形成したことを要件とする。【０００７】前記第１の発明の熱変色性筆記具１は、前記軸筒２の前端部を硬質材料から形成し、前記軸筒２の前端部外面に軟質材料からなる摩擦部４を設け、前記摩擦部４の前端を前記軸筒２の前端よりも前方に位置させてなることにより、摩擦部４が摩耗したり、被筆記面に対して軸筒２を略垂直にしたりしても、軸筒２の前端が被筆記面に接触することを回避でき、摩擦部４による適正な摩擦操作が可能となり、熱変色性の筆跡を確実に熱変色させることができる。前記第１の発明の熱変色性筆記具１は、前記摩擦部４の前端開口部の内径を、前記軸筒２の前端孔３の内径よりも大きく形成したことにより、摩擦部４の前端の変形による前端孔３への影響を一層回避でき、ペン先５１の円滑な出没作動を確実に維持できる。もし、前記摩擦部４の前端開口部の内径を軸筒２の前端孔３の内径よりも小さく形成した場合や、前記摩擦部４の前端開口部の内径を軸筒２の前端孔３の内径と一致させた場合、ペン先５１の円滑な出没作動を阻害するおそれがある。【０００８】［２］本願の第２の発明は、前記第１の発明において、前記軸筒２の前端から前記摩擦部４の前端までの摩擦部４の軸方向の長さをＡとし、突出状態の前記ペン先５１の外面と前記摩擦部４の内面との径方向の隙間をＢとするとき、Ａ／Ｂ≦６００（好ましくは、Ａ／Ｂ≦１００、さらに好ましくは、Ａ／Ｂ≦５０）の関係を満足することを要件とする。【０００９】前記第２の発明の熱変色性筆記具１は、前記軸筒２の前端から前記摩擦部４の前端までの摩擦部４の軸方向の長さをＡとし、突出状態の前記ペン先５１の外面と前記摩擦部４の内面との径方向の隙間をＢとするとき、Ａ／Ｂ≦６００（好ましくは、Ａ／Ｂ≦１００、さらに好ましくは、Ａ／Ｂ≦５０）の関係を満足することにより、摩擦部４の変形による前端孔３への影響を回避でき、ペン先５１の円滑な出没作動を維持できる。仮に、Ａ／Ｂ＞６００の場合、摩擦部４の使用により、摩擦部４の前端が変形し、摩擦部４の前端開口部の内周縁部が径方向内方に突出し、ペン先５１の円滑な出没作動を阻害するおそれがある。【００１０】 【００１１】 
【発明の効果】
【００１２】本発明は、摩擦部が摩耗したり、被筆記面に対して軸筒を略垂直にしたりしても、摩擦部による適正な摩擦操作が可能となり、熱変色性の筆跡を確実に熱変色させることができる。
【図面の簡単な説明】
【００１３】
【図１】本発明の実施の形態のペン先没入状態を示す縦断面図である。
【図２】図１のペン先突出状態を示す縦断面図である。
【図３】図２の要部拡大図である。
【発明を実施するための形態】
【００１４】本発明の実施の形態を図１乃至図３に示す。本実施の形態の熱変色性筆記具１は、軸筒２と、該軸筒２内に収容される筆記体５と、該筆記体５のペン先５１を軸筒２の前端孔３より出没自在にさせる出没機構とを備える。
【００１５】・軸筒前記軸筒２は、前軸２１と該前軸２１の後端に着脱自在に螺着される後軸２２とからなるため、前記軸筒２内から前記筆記体５を取り出して交換することが可能である。前記軸筒２の後部外面（後軸２２の外面）には、ポケット等に挟持可能なクリップ８が突設される。また、前記軸筒２内には、筆記体５を常時後方に付勢する弾発体６（具体的には圧縮コイルスプリング）が収容される。
【００１６】・前軸前記前軸２１は、先細円筒状の硬質材料からなる。即ち、前記軸筒２の前端部が硬質材料から形成される。前記硬質材料は、合成樹脂（例えば、ポリカーボネイト、ポリプロプレン、ポリアセタール、ポリエチレンテレフタレート、ＡＢＳ樹脂等）または金属等が挙げられる。
【００１７】前記前軸２１の前端部には前端孔３が前後方向に貫設される。前記前端孔３を通して、軸筒２内に収容した筆記体５のペン先５１が出没可能（即ち外部に突出可能且つ軸筒２内に没入可能）となる。前記前軸２１の後端開口部外面には、オネジ部が一体に形成される。
【００１８】・摩擦部前記前軸２１の前端部外面には、軟質材料からなる環状の摩擦部４が設けられる。前記摩擦部４を構成する軟質材料は、弾性を有する樹脂（ゴム、エラストマー）が挙げられ、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦部４を構成する軟質材料は、高摩耗性の弾性材料（例えば、消しゴム等）からなるものよりも、紙面等との摩擦で摩耗屑が殆ど生じない低摩耗性の弾性材料からなるものが有効である。
【００１９】前記摩擦部４は、軸筒２の前端孔３の外面に２色成形により一体に形成する構成、または摩擦部４を構成する別部品を軸筒２の前端孔３の外面に固着（例えば、嵌着、圧入、螺着、接着）する構成が挙げられる。前記摩擦部４は、軸筒２の軟質部材からなる把持部（グリップ部）と一体に形成する構成でもよい。
【００２０】前記摩擦部４の前端は、前記軸筒２の前端よりも前方に位置される。それにより、摩擦部４が摩耗したり、被筆記面に対して軸筒２を略垂直にしたりしても、軸筒２の前端が被筆記面に接触することを回避でき、摩擦部４による適正な摩擦操作が可能となり、熱変色性の筆跡を確実に熱変色させることができる。
【００２１】・後軸前記後軸２２は、硬質材料（例えば、ポリカーボネイト、ポリプロプレン、ポリアセタール、ポリエチレンテレフタレート、ＡＢＳ樹脂等の合成樹脂または金属等）からなる円筒体である。前記後軸２２の前端開口部には、前記前軸２１のオネジ部と螺合可能なメネジ部が一体に形成される。
【００２２】・出没機構前記軸筒２には、ペン先５１を前端孔３より出没させる出没機構が内蔵されている。本実施の形態の出没機構は、前記操作部７を軸筒２の後端部に設け、前記操作部７を後方付勢に抗して前方に押圧操作することにより、ペン先没入状態からペン先突出状態にする構成（いわゆる後端ノック式）が好ましい。さらに、本実施の形態では、前記後端ノック式の出没機構は、操作部７を前方に押圧することにより、ペン先突出状態からペン先没入状態にすることができるダブルノック式が好ましい。
【００２３】尚、本実施の形態の出没機構は、これ以外にも、前記操作部７を軸筒２側壁より径方向外方に突出させ、前記操作部７を後方付勢に抗して前方に押圧操作することにより、ペン先没入状態からペン先突出状態にする構成（いわゆるサイドスライド式）、前記操作部７を軸筒２側壁より径方向外方に突出させ、前記操作部７を径方向内方に押圧操作することにより、ペン先没入状態からペン先突出状態にする構成（いわゆるサイドノック式）、または、軸筒２の後部に設けた操作部７を軸筒２の前部に対して回転させることによりペン先５１を出没させる構成（いわゆる回転式）等を採用することができる。
【００２４】・筆記体前記筆記体５は、ペン先５１と、前記ペン先５１を前端に備え且つ内部に熱変色性インキを収容するインキ収容部とからなる。前記ペン先５１より前記熱変色性インキが吐出される。
【００２５】前記ペン先５１は、前端に回転可能に抱持されたボールを備えるボールペンチップからなる。前記ペン先５１の内部には、前端のボールを前方に押圧する弾発体が収容される。前記弾発体は、圧縮コイルスプリングの前端部にロッド部を備えた構成であり、前記ロッド部の前端がボール後面に接触している。非筆記時、前記弾発体の前方付勢によりボールがボールペンチップ前端の内向きのカシメ部内面に密接され、ペン先５１の前端からのインキの漏出及びインキの蒸発を防止できる。
【００２６】前記ペン先５１は、ボールペンチップ以外に、例えば、繊維束の樹脂加工体、繊維束の熱融着加工体、フェルト加工体、パイプ状ペン体、先端にスリットを有する万年筆型板状ペン体、毛筆ペン体、合成樹脂の多孔質気泡体、軸方向のインキ誘導路を有する合成樹脂の押出成形体等が挙げられる。前記ペン先５１が、ボールペンチップ以外の構成の場合、ペン先没入状態のペン先乾燥防止機構として、軸筒２の前端孔３を閉鎖し軸筒２内に没入状態のペン先５１を密封する構成が有効である。
【００２７】前記インキ収容部は、ペン先５１を保持するペン先ホルダーと、前記ペン先ホルダーが前端に固着されるインキ収容管とからなる。前記インキ収容部内には、熱変色性インキと、該インキの後端に配置され、インキの消費に伴い前進し且つインキの後退（即ち逆流）を防止する追従体とが収容される。
【００２８】前記熱変色性インキは、可逆熱変色性インキが好ましい。前記可逆熱変色性インキは、発色状態から加熱により消色する加熱消色型、発色状態又は消色状態を互変的に特定温度域で記憶保持する色彩記憶保持型、又は、消色状態から加熱により発色し、発色状態からの冷却により消色状態に復する加熱発色型等、種々のタイプを単独又は併用して構成することができる。
【００２９】また、前記可逆熱変色性インキに含有される可逆熱変色性マイクロカプセル顔料は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させたものが有効である。
【００３０】本実施の形態では、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度以下の低温域での発色状態、又は完全消色温度以上の高温域での消色状態が、特定温度域（実質的二相保持温度域）で記憶保持できる色彩記憶保持型熱変色性インキが適用されることが好ましい。
【００３１】前記実質的二相保持温度域は、目的に応じて設定できるが、本発明では、前記高温側変色点〔完全消色温度〕を、２５℃〜９５℃（好ましくは、３６℃〜９０℃）の範囲に設定し、前記低温側変色点〔完全発色温度〕を、−３０℃〜＋２０℃（好ましくは、−３０℃〜＋１０℃）の範囲に設定することが有効である。それにより、常態（日常の生活温度域）で呈する色彩の保持を有効に機能させることができると共に、可逆熱変色性インキによる筆跡を摩擦部４による摩擦熱で容易に変色することができる。本実施の形態では、前記熱変色性インキは、消色状態において無色となるものが好ましい。
【００３２】・Ａ／Ｂ本実施の形態では、前記軸筒２の前端から前記摩擦部４の前端までの摩擦部４の軸方向の長さをＡとし、突出状態の前記ペン先５１の外面と前記摩擦部４の内面との径方向の隙間をＢとするとき、Ａ／Ｂ≦６００（好ましくは、Ａ／Ｂ≦１００、さらに好ましくは、Ａ／Ｂ≦５００）の関係を満足する。それにより、摩擦部４の変形による前端孔３への影響を回避でき、ペン先５１の円滑な出没作動を維持できる。仮に、Ａ／Ｂ＞６００の場合、摩擦部４の使用により、摩擦部４の前端が変形し、摩擦部４の前端開口部の内周縁部が径方向内方に突出し、ペン先５１の円滑な出没作動を阻害するおそれがある。
【００３３】本実施の形態では、前記摩擦部４の前端開口部の内径が、前記軸筒２の前端孔３の内径よりも大きく形成される。それにより、摩擦部４の前端の変形による前端孔３への影響を一層回避でき、ペン先５１の円滑な出没作動を確実に維持できる。
【００３４】・筆記時本実施の形態の熱変色性筆記具１を片手に持ち、操作部７を前方に押圧操作することによって、迅速にペン先没入状態からペン先突出状態にすることできる。この突出状態のペン先５１で、紙面等の被筆記面に筆記することにより、熱変色性インキによる筆跡を被筆記面に形成することができる。
【００３５】・摩擦変色時筆記後、前記熱変色性筆記具１を片手に持った状態で、熱変色性筆記具１を大きく持ち替えること無く、操作部７を前方に押圧操作することによって、迅速にペン先突出状態からペン先没入状態にすることができる。前記ペン先没入状態において、摩擦部４を用いて、被筆記面に形成された前記熱変色性インキによる筆跡を摩擦し、その際に生じる摩擦熱で前記筆跡を熱変色させることができる。
【符号の説明】
【００３６】１  熱変色性筆記具２  軸筒２１  前軸２２  後軸３  前端孔４  摩擦部５  筆記体５１  ペン先６  弾発体７  操作部８  クリップＡ  軸筒の前端から摩擦部の前端までの摩擦部の軸方向の長さＢ  突出状態のペン先の外面と摩擦部の内面との径方向の隙間 
【図１】
0005551499.tif 000002
【図２】
0005551499.tif 000003
【図３】
0005551499.tif 000004